(57)【要約】【課題】ＤＶＤレコーダシステムにおいて、自動録画によりユーザの操作性を向上する。【解決手段】一定時間の無操作状態によりキーコントローラ１８は電源回路１６を切り替えて電圧を遮断し、システムをスリープ状態に移行する。ビデオ入力端子から信号が入力されるとキーコントローラ１８は電源回路１６をＯＮ制御しノーマル状態に移行する。ＤＶＤプロセッサ１２は、ノーマル状態復帰後にＥＥＰＲＯＭ２８に予め記憶された録画条件に従ってＤＶＤドライブ１０に指令し、入力ビデオ信号をＤＶＤドライブ１０に供給して録画を開始する。【選択図】図１
2006092624.tif 000002
【特許請求の範囲】
【請求項１】
光ディスクに対してデータの記録再生を行う光ディスク装置を備えるデータ記録再生システムであって、
光ディスク装置と、
前記光ディスク装置と所定のインタフェースで接続され、前記光ディスク装置に対してコマンドを送信するとともに前記光ディスク装置からの再生データを受信するプロセッサと、
キー操作スイッチと、
前記キー操作スイッチからのキー操作信号を解釈して前記プロセッサに指令するキーコントローラと、
前記光ディスク装置、プロセッサ、及びキーコントローラに電源電圧を供給する電源回路であって、少なくとも前記プロセッサへの電圧供給状態と電圧遮断状態とを切り替え可能な電源回路と、
入力信号端子と、
前記入力信号端子から信号が入力されたことを検出して前記キーコントローラに出力する入力信号検出器と、
を有し、
前記プロセッサは、一定時間の無操作状態により電圧供給状態のノーマル状態から電圧遮断状態のスリープ状態に移行し、
前記キーコントローラは、前記スリープ状態において前記入力信号検出器により信号の入力を検出した場合に、前記電源回路に指令して電圧遮断状態から電圧供給状態に切り替えることで前記プロセッサを前記スリープ状態から前記ノーマル状態に復帰する
ことを特徴とするデータ記録再生システム。
【請求項２】
請求項１記載の装置において、
前記プロセッサは、書き換え可能な不揮発性メモリを有し、
前記キーコントローラは、前記キー操作スイッチから所定の録画条件及び録画キーのキー操作信号が入力された場合に所定の録画モードコマンドを前記プロセッサに指令し、
前記プロセッサは、前記録画条件及び録画モードコマンドを前記書き換え可能な不揮発性メモリに書き込み、前記信号の入力により前記スリープ状態から前記ノーマル状態に復帰した後に前記書き換え可能な不揮発性メモリに記憶された録画モードに従い、前記録画条件で前記信号を前記光ディスク装置に供給して記録を開始する
ことを特徴とするデータ記録再生システム。
【請求項３】
請求項２記載の装置において、
前記電源回路は、ＡＣ電源からの電力を前記光ディスク装置、プロセッサ、及びキーコントローラに供給するものであり、
前記プロセッサは、前記ＡＣ電源がＯＦＦ状態からＯＮ状態に移行した場合に、前記書き換え可能な不揮発性メモリに記憶された録画条件と前記光ディスク装置から供給された光ディスク情報が一致する場合に前記録画条件で前記信号を前記光ディスク装置に供給して記録を開始する
ことを特徴とするデータ記録再生システム。
【発明の詳細な説明】
【技術分野】
【０００１】
本発明はデータ記録再生システム、特に光ディスク装置を備え、通常動作状態であるノーマル状態と省電力のスリープ状態とを有するシステムに関する。
【背景技術】
【０００２】
従来より、ＣＤドライブやＤＶＤドライブ等の光ディスク装置（光ディスクドライブ）を有するコンピュータシステムやＤＶＤレコーダシステムが開発されている。このようなシステムでは、ユーザの希望するタイミングでビデオやオーディオデータを簡易に記録できることが望まれている。
【０００３】
下記の特許文献１には、ビデオテープレコーダに関するシステムにおいて、セットトップボックス（ＳＴＢ）にビデオテープレコーダを接続し、ＳＴＢがタイマ予約で設定された時刻に電源投入されると同時に同期信号及び映像信号並びに音声信号のレベルが所定値以上となり、これに応じてビデオテープレコーダが録画を開始する技術が記載されている。
【０００４】
【特許文献１】特開２０００−１３２９５４号公報
【発明の開示】
【発明が解決しようとする課題】
【０００５】
しかしながら、上記技術では、記録をいつでも開始できるＲＥＣ  ＰＡＵＳＥ状態に制御して録画を開始するものであり、省電力の観点から問題がある。また、ビデオテープレコーダと異なり、ＤＶＤレコーダ等の光ディスク装置においては多種多様なメディアが存在し得る状況であり、かつ、データを記録するための記録条件も一定ではない。したがって、単に映像信号や音声信号の入力をトリガとして記録を開始したのでは、メディアに記録できない問題も生じ得る。
【０００６】
本発明の目的は、光ディスク装置を備えるシステムにおいて、省電力化を図りつつ、簡易にかつ確実に映像信号（ビデオ信号）や音声信号（オーディオ信号）を記録することができるシステムを提供することにある。
【課題を解決するための手段】
【０００７】
本発明は、光ディスクに対してデータの記録再生を行う光ディスク装置を備えるデータ記録再生システムであって、光ディスク装置と、前記光ディスク装置とＡＴＡＰＩインターフェースで接続され、前記光ディスク装置に対してコマンドを送信するとともに前記光ディスク装置からの再生データを受信するプロセッサと、キー操作スイッチと、前記キー操作スイッチからのキー操作信号を解釈して前記プロセッサに指令するキーコントローラと、
前記光ディスク装置、プロセッサ、及びキーコントローラに電源電圧を供給する電源回路であって、少なくとも前記プロセッサへの電圧供給状態と電圧遮断状態とを切り替え可能な電源回路と、入力信号端子と、前記入力信号端子から信号が入力されたことを検出して前記キーコントローラに出力する入力信号検出器とを有し、前記プロセッサは、一定時間の無操作状態により電圧供給状態のノーマル状態から電圧遮断状態のスリープ状態に移行し、前記キーコントローラは、前記スリープ状態において前記入力信号検出器により信号の入力を検出した場合に、前記電源回路に指令して電圧遮断状態から電圧供給状態に切り替えることで前記プロセッサを前記スリープ状態から前記ノーマル状態に復帰することを特徴とする。
本発明の１つの実施形態では、前記プロセッサは、書き換え可能な不揮発性メモリを有し、前記キーコントローラは、前記キー操作スイッチから所定の録画条件及び録画キーのキー操作信号が入力された場合に所定の録画モードコマンドを前記プロセッサに指令し、
前記プロセッサは、前記録画条件及び録画モードコマンドを前記書き換え可能な不揮発性メモリに書き込み、前記信号の入力により前記スリープ状態から前記ノーマル状態に復帰した後に前記書き換え可能な不揮発性メモリに記憶された録画モードに従い、前記録画条件で前記信号を前記光ディスク装置に供給して記録を開始する。
【発明の効果】
【０００８】
本発明によれば、電圧遮断によりスリープ状態に移行して省電力化を図るとともに、入力端子から信号が入力された場合にスリープ状態からノーマル状態に移行することができる。また、予め設定された条件に従って自動的に記録を開始することができ、ユーザの操作性を向上できる。
【発明を実施するための最良の形態】
【０００９】
以下、図面に基づき本発明の実施形態について説明する。
【００１０】
図１には、本実施形態に係る携帯型（ポータブル）ＤＶＤレコーダシステムのシステム構成図が示されている。
【００１１】
ＤＶＤドライブ１０は、ＤＶＤに対してデータの記録再生を行う。記録すべきデータはＤＶＤプロセッサ１２から供給され、ＤＶＤから再生したデータをＤＶＤプロセッサ１２に供給する。ＤＶＤドライブ１０は、ＤＶＤに対する記録再生の他、ＣＤに対する記録再生を行う所謂コンボドライブでもよい。ＤＶＤドライブ１０は、電源回路１６からの電源電圧の供給を受けて動作する。ＤＶＤドライブ１０は、ＤＶＤプロセッサ１２その他のシステム部とは独立してそのモードを自身のコントローラで制御する。ＤＶＤドライブ１０は、４つの動作状態（アクティブモード、アイドルモード、スタンバイモード、スリープモード）を備える。上位装置からＡＴＡＰＩインターフェースを通じて発される命令に従ってディスクアクセスを行っている状態がアクティブモードである。アクセス動作を終了し、ピックアップ等のサーボをオンにしたままディスクを回転させ続けて上位装置からの命令を待つ待機状態がアイドルモードである。ディスク回転を停止させ、ピックアップ等のサーボを停止し、内蔵マイコンだけは動作状態のまま上位装置からの命令を待つ待機状態がスタンバイモードである。上位装置からの命令によって、インターフェースマイコンを除く全ての機能を停止させ、極力省電力を達成する状態がスリープモードである。本実施例においては、ＤＶＤドライブ１０はスリープモードを使わずにスタンバイモードで待機する。その理由は、スリープモードに以降してしまうと、それまで保持していたメディアの各種状態情報（メディアの種類やメーカ情報、最適記録パワー等）を失い、復帰動作時に再度これらの情報をメディアから取得しなければならず、時間を要してしまうからである。ＤＶＤドライブ１０は、ＤＶＤプロセッサ１２とＡＴＡＰＩインターフェースで接続され、ＤＶＤプロセッサ１２からの各種コマンド及び記録すべきデータを受信し、ＤＶＤから再生したデータをＤＶＤプロセッサ１２に出力する。
【００１２】
また、ＤＶＤドライブ１０とキーコントローラ１８とは、上記のＡＴＡＰＩインターフェースの未使用端子を利用して接続されている。ＤＶＤドライブ１０には、内部にメディア検出機能を兼用する図示しないアームよりなるローディング機構が存在し、該アームにはマイクロスイッチが連動するべく設けられている。ＤＶＤドライブ１０にメディアが挿入されると、内部のアームがメディアの周縁に接触して押し込まれ、該アームに連動するマイクロスイッチがＯＮとなってローディング機構が動作すると共に、ＤＶＤドライブ１０内部のマイコンを通じてＡＴＡＰＩインターフェースの上記未使用端子にメディア挿入信号をキーコントローラ１８に送信する。なお、未使用端子を用いてハードウェア的に信号を出力する代わりに、ＡＴＡＰＩインターフェースの拡張ステータス情報としてメディア検出を通知する情報を送信するような仕様にしても良い。その場合は、キーコントローラ１８もＡＴＡＰＩインターフェースを備え、メディア検出のステータス情報のみを拾い出す機能を備えることとなる。
【００１３】
ＤＶＤプロセッサ１２は、ＤＶＤレコーダシステム全体を制御するプロセッサであり、その内部にＣＰＵ１２ａを有する。ＤＶＤプロセッサ１２は、フラッシュＲＯＭ２６に記憶された制御プログラムに従い、ＤＶＤドライブ１０の動作を制御する。アナログビデオ端子からアナログビデオ信号が入力されると、ビデオデコーダ３２にてデコードされ、ＤＶＤプロセッサ１２に供給される。また、オーディオ端子からアナログオーディオ信号が入力されると、Ａ／Ｄ３４にてデジタル信号に変換されてＤＶＤプロセッサ１２に供給される。ＤＶＤプロセッサ１２は、これらのビデオあるいはオーディオ信号を周知のＭＰＥＧエンコード処理をした後、ＤＶＤドライブ１０に供給する。また、ＤＶＤドライブ１０からの再生データはビデオエンコーダ１２ｂにてエンコードした後にビデオ出力端子から出力し、あるいはＤ／Ａ３６でアナログ信号に変換してオーディオ端子から出力する。
【００１４】
ＤＶＤプロセッサ１２は、ＤＶＤドライブの記録再生動作を制御するが、これはキーコントローラ１８からのキー操作信号に応じて実行される。すなわち、ＤＶＤプロセッサ１２はキーコントローラ１８に対して問い合わせ、キーコントローラ１８はこの問い合わせに応じて、入力キー操作信号（キー操作コマンド）をＤＶＤプロセッサ１２に返信する。ＤＶＤプロセッサ１２は、受信したキー操作信号に応じてＤＶＤドライブ１０に各種コマンドを送信して記録再生動作を実行する。記録すべきデータあるいは再生データは適宜ＲＡＭ３０に記憶され保持される。また、現在の設定条件、例えば入力ソースの固定／自動、入力ソース自動検出時の優先順位、オートファイナライズの有無、オートポーズの有無等はＥＥＰＲＯＭ２８に書き込んで記憶しておく。
【００１５】
また、ＤＶＤプロセッサ１２は、タイマを内蔵しており、無操作状態が一定時間継続して存在するか否かを監視する。そして、無操作状態が一定時間継続した場合には、キーコントローラ１８に対してノーマル状態からスリープ状態への移行を指示するコマンドを発行する。
【００１６】
キーコントローラ１８は、システム本体に設けられた操作スイッチ２２からの操作信号を入力し、あるいはリモートコントローラ（以下、リモコンと略称する）４０からの操作信号を赤外線センサ２４を介して入力する。操作スイッチ２２には「スタンバイ」、「ＰＬＡＹ」、「ＲＥＣ」キー等が設けられ、リモコンにも同様に「スタンバイ」、「ＰＬＡＹ」、「ＲＥＣ」キー等が設けられる。ここで、本実施形態における操作スイッチ２２及びリモコン４０にはいずれも電源スイッチあるいは「ＰＯＷＥＲ」キーが設けられていない。すなわち、ＡＣアダプタ１４をＡＣ電源に接続すると、自動的にノーマル状態となり、一定時間経過後にスリープ状態に移行することになる。スリープ状態からノーマル状態へは、後述するようにいくつかの方法で自動復帰する。操作スイッチ２２のキー及びリモコン４０のキーにはそれぞれ異なるコマンドが予め割り当てられており、キーコントローラ１８はこれらのキー操作信号を解釈し、ＤＶＤプロセッサ１２からの問い合わせに応じてどのキーが操作されたかをＤＶＤプロセッサ１２に返信する。キー操作の状態はＬＣＤ２０に表示される。
【００１７】
また、キーコントローラ１８は、ビデオ入力端子からダイオード４２及びコンデンサ４４を介してアナログビデオ信号を入力する。すなわち、ダイオード４２でアナログビデオ信号を検波して得られる脈流（６０Ｈｚ）をコンデンサ４４で平滑化し、キーコントローラ１８に供給する。
【００１８】
また、キーコントローラ１８は、ＤＶＤプロセッサ１２からのコマンドに応じて電源回路１６を制御してノーマル状態とスリープ状態を互いに移行させる。具体的には、ＡＣアダプタ１４がＡＣ電源に接続され、ＤＶＤプロセッサ１２がノーマル状態に移行した後、無操作状態で一定時間が経過するとＤＶＤプロセッサ１２はキーコントローラ１８に対してスリープ状態への移行を指令する。キーコントローラ１８は、ＤＶＤプロセッサ１２からの指令に応じ、電源回路１６に対して供給電圧の切り替えを指令してノーマル状態からスリープ状態に移行させる。一方、スリープ状態にあるときに、以下の条件が成立すると、キーコントローラ１８は電源回路１６に指令して供給電圧の切り替えを指令し、スリープ状態からノーマル状態に復帰させる。
（１）ＤＶＤドライブ１０にメディアが挿入されたとき
（２）リモコン４０のスタンバイ（ＳＴＡＮＢＹ）／プレイ（ＰＬＡＹ）／録画（ＲＥＣ）／イジェクト（ＥＪＥＣＴ）の各操作キーが操作されたとき
（３）システム本体の操作スイッチ２２が操作されたとき
（４）アナログビデオ入力端子から信号が入力されたとき
【００１９】
電源回路１６は、ＡＣアダプタ１４からのＡＣ電源電圧をＤＣに変換して各部に供給する。電源回路１６は、スイッチ１６ａ、ＤＣ／ＤＣコンバータ１６ｂ及び１６ｃを有する。スイッチ１６ａは、キースイッチ１８からの指令により切り替えられるスイッチであり、スリープ状態ではＯＦＦ制御、ノーマル状態ではＯＮ制御される。ＤＣ／ＤＣコンバータ１６ｂは、５Ｖ、３．３Ｖ、２．５Ｖ及び１．８Ｖの各電圧よりなる電力をシステム各部に供給する。ＤＣ／ＤＣコンバータ１６ｃは、５Ｖの電圧よりなる電力をＤＶＤドライブ１０及びキーコントローラ１８に供給する。したがって、ノーマル状態では、ＤＣ／ＤＣコンバータ１６ｂからの５Ｖ、３．３Ｖ、２．５Ｖ及び１．８Ｖの電圧がＤＶＤプロセッサ１２に印加されるとともにＤＣ／ＤＣコンバータ１６ｃからの５Ｖの電圧がＤＶＤドライブ１０及びキーコントローラ１８に印加され、スリープ状態ではＤＶＤプロセッサ１２にはスイッチ１６ａがＯＦＦとなるため電圧は印加されず、ＤＶＤドライブ１０及びキーコントローラ１８に５Ｖの電圧が印加される。
【００２０】
以上のような構成において、ノーマル状態からスリープ状態への移行について、メディア挿入を例にとり説明する。
【００２１】
図２には、ＤＶＤドライブ１０にメディアを挿入した場合の、ＤＶＤドライブ１０、ＤＶＤプロセッサ１２、電源回路１６及びキーコントローラ１８の動作が示されている。
【００２２】
図２（Ａ）は、ノーマル状態からスリープ状態に移行したときの状態図である。このとき、ＤＶＤプロセッサからキーコントローラ１８に対してスリープモード移行が指令され、キーコントローラ１８はこれに応じて電源回路１６のスイッチ１６ａをＯＮからＯＦＦに制御する。すると、ＤＶＤプロセッサ１２はその動作を停止し（図では破線で電力供給が遮断されたことを示す）、ＤＶＤドライブ１０及びキーコントローラ１８が電源回路１６からの電圧供給を受けて動作し続ける。なお、上記のとおり、ＤＶＤドライブ１０はメディア情報保持のためスリープモードではなくスタンバイモードに移行する。
【００２３】
図２（Ｂ）は、システムがスリープ状態において、ユーザがＤＶＤドライブ１０にメディアを挿入した場合の状態図である。ＤＶＤドライブ１０は、メディアが挿入されると内部のアームが押し込まれ、該アームに連動するマイクロスイッチがＯＮとなってローディング機構が動作する。ローディング機構の動作によりメディアを引き込み、所定位置にチャッキングする。ＤＶＤドライブ１０のマイコンは、マイクロスイッチのＯＮとともにメディア挿入を検出し、スタンバイ状態からアイドル状態に移行するとともにメディア挿入信号をＡＴＡＰＩインターフェースの未使用端子を介してキーコントローラ１８に送信する。キーコントローラ１８は常時電力供給を受けて動作状態にあるため、この挿入信号を受け付けることができ、挿入信号に応答して電源回路１６に切り替え信号を送信する。図では、この切り替え信号を「ウェイクアップ信号」と示している。
【００２４】
図２（Ｃ）は、キーコントローラ１８からウェイクアップ信号を電源回路１６に送信した後の状態図が示されている。電源回路１６のスイッチ１６ａは、キーコントローラ１８からの信号に応じてＯＦＦからＯＮとなり、ＤＶＤプロセッサ１２に電力を供給する。ＤＶＤプロセッサ１２は、この電力供給により動作を再開し（スリープ状態からノーマル状態への移行）、キーコントローラ１８に対して問い合わせる。キーコントローラ１８は、ＤＶＤプロセッサ１２からの要求に応じ、キー操作状態を返信する。ユーザがリモコン４０の「ＰＬＡＹ」キーを押下操作した場合、当該コマンドがキーコントローラ１８からＤＶＤプロセッサ１２に返信され、ＤＶＤプロセッサ１２は再生コマンドに応じてＤＶＤドライブ１０に指令する。ＤＶＤドライブ１０は、これに応じてメディアを再生し、その再生データをＤＶＤプロセッサ１２に供給する。以上のようにして、単にメディアを挿入するだけで、システムはスリープ状態からノーマル状態に移行できる。
【００２５】
一方、ビデオ入力端子からビデオ信号が入力された場合にも、上記のとおりダイオード４２及びコンデンサ４４からなるビデオ信号検出回路がこれを検出してキーコントローラ１８に供給し、キーコントローラ１８が電源回路１６に指令してスイッチ１６ａをＯＮ制御し、スリープ状態からノーマル状態に復帰する。このとき、ユーザはビデオカメラ等をビデオ入力端子に接続してＤＶＤに録画したいと欲していると考えられ、単にスリープ状態からノーマル状態に復帰するだけでなく、ユーザからの操作を要することなく直ちに録画を開始することができれば好適である。
【００２６】
そこで、本実施形態では、ユーザがシステム本体の操作スイッチ２２の録画（ＲＥＣ）キーを押下操作した場合には、ビデオ入力端子からビデオ信号が入力されたことをトリガとして自動的に録画を開始する。本実施形態では、これを「イージー録画モード」と称する。ユーザは、システムがノーマル状態において、操作スイッチ２２あるいはリモコン４０を操作して、ユーザ所望の録画条件を設定した上で、操作スイッチ２２の録画「ＲＥＣ」キーを押下操作する。録画条件及び録画コマンドはキーコントローラ１８からＤＶＤプロセッサ１２に送信される。ＤＶＤプロセッサ１２は、録画条件及び録画コマンド（イージー録画コマンド）をＥＥＰＲＯＭ２８に書き込む。なお、操作スイッチ２２の録画キーを押下操作した場合にはイージー録画モードに移行し、リモコン４０の録画キーを押下操作した場合には通常の録画モード（ユーザがその後、リモコン４０を操作して録画条件を再度設定する）に移行する。ここに、ユーザが設定する録画条件は、例えば以下のものである。
＜録画条件＞
（ａ）入力ソース
複数の入力ソースの選択を固定とするか自動で切り替えるかの選択である。自動で切り替える場合、ソース間の優先順位をさらに選択する。
（ｂ）メディアの種類に応じた録画フォーマットの選択
メディアがＤＶＤ−Ｒ／ＲＷの場合のＤＶＤ−ＶＩＤＥＯかＤＶＤ−ＶＲの選択、メディアがＣＤ−Ｒ／ＲＷの場合のＶＣＤかＳＶＣＤかＣＤ−ＤＡの選択である。
（ｃ）オートファイナライズの有無
メディアの種類に応じて録画終了時にファイナライズを行うか否かの選択である。ＤＶＤ＋ＲＷ以外のメディアは、一般に適切なファイナライズが必要である。
（ｄ）画質の選択
（ｅ）オートポーズの有無
入力信号が無となった場合に自動停止するか否かの選択である。
【００２７】
これらの録画条件は、例えばシステムに接続されたモニタあるいはＬＣＤ２０にメニュー表示してユーザが選択入力することにより設定する。
【００２８】
図３には、ＡＣアダプタ１４を接続後、ノーマル状態においてユーザが録画条件を設定し、操作スイッチ２２の録画キーを押下操作してイージー録画モードを設定した場合の処理フローチャートが示されている。ＥＥＰＲＯＭ２８には、これらの録画条件及びイージー録画コマンドが既に書き込まれているものとする。
【００２９】
ＡＣアダプタ１４がＡＣ電源に接続されると（Ｓ１０１）、ＤＶＤプロセッサ１２はＥＥＰＲＯＭ２８にアクセスし（Ｓ１０２）、イージー録画モードが設定されているか否かを確認する（Ｓ１０３）。ＥＥＰＲＯＭ２８にイージー録画のコマンド及び録画条件が記憶されている場合には、ＤＶＤプロセッサ１２はさらにＤＶＤドライブ１０に問い合わせる（Ｓ１０４）。ＤＶＤドライブ１０のマイコンは、スタンバイモードであれば保持しているメディアの情報（メディアの種類等）をＡＴＡＰＩインターフェースを解してＤＶＤプロセッサ１２に返信する。もし、ＤＶＤドライブ１０のマイコンがメディアの情報を記憶していなければ、ＤＶＤプロセッサ１２の命令に従ってメディアの情報を取得し、これをＤＶＤプロセッサ１２に返信する。
ＤＶＤプロセッサ１２は、ＤＶＤドライブ１０から取得したメディア情報と録画条件に規定されたメディア情報とが一致するか否かを判定する（Ｓ１０５）。例えば、録画条件がＤＶＤ−Ｒを前提としており、ＤＶＤドライブ１０に挿入されているメディアがＤＶＤ−Ｒである場合には条件が一致する。すなわち、録画条件に従った録画が可能であると判定し、ビデオ信号が入力されているか否かをビデオデコーダ３２を通じて確認し（Ｓ１０６）、ビデオ信号が入力されていれば録画を開始する（Ｓ１０７）。イージー録画モードに設定されているメディアとＤＶＤドライブ１０に挿入されているメディアが一致しない、或いはＥＥＰＲＯＭ２８に記憶されているその他の録画条件とＤＶＤドライブ１０から取得した情報が一致しない場合には、ＤＶＤプロセッサ１２は録画を開始せず、ＥＥＰＲＯＭ２８に記憶されているイージー録画モードを解除し（Ｓ１０８）、ユーザに再度の録画条件設定を促す。
【００３０】
ステップＳ１０３にてイージー録画モードが設定されていなければ、ノーマル状態に移行し（Ｓ１０９）、通常の動作を行う。そして、ユーザからの操作や所定の動作を行わないまま一定の時間が経過したか否かを確認する（Ｓ１１０）。また、ステップＳ１０６イージー録画モードが設定されていて、ビデオ信号の入力がない場合も同様に一定時間の経過をステップＳ１１０で確認する。無操作及び無動作状態で一定時間が経過すると、ＤＶＤプロセッサ１２からの指令によりキーコントローラ１８が電源回路１６のスイッチ１６ａをＯＦＦ制御し、ＤＶＤプロセッサ１２に対する電力供給を遮断してスリープ状態に移行する（Ｓ１１１）。
【００３１】
スリープ状態において、キーコントローラ１８は、ビデオ信号が入力されたか否か、或いはリモコン４０や操作スイッチ２２が操作されたか否か、或いはＤＶＤドライブ１０にメディアが挿入されたか否かを常に監視している。これら条件のうちの一つでも起こると、キーコントローラ１８は電源回路１６のスイッチ１６ａをＯＮ制御し、ＤＶＤプロセッサ１２を起動させる。本実施例において、ダイオード４２及びコンデンサ４４からなる検出回路がビデオ信号を検出すると、その信号はキーコントローラ１８に入力され、キーコントローラ１８は電源回路１６のスイッチ１６ａをＯＮ制御し、ＤＶＤプロセッサ１２は起動する。すなわち、再びステップＳ１０１から動作が開始される。
【００３２】
本実施形態では、システムがスリープ状態にあっても、ビデオ信号の入力により自動的にノーマル状態に復帰し、かつ、直ちにビデオ信号の録画を開始することが可能であるが、操作スイッチ２２あるいはリモコン４０のイジェクトキーあるいは再生キーが押下操作された場合、キーコントローラ１８はこれらの操作信号をＤＶＤプロセッサ１２に送信し、ＤＶＤプロセッサ１２は、これらのキー操作に応じてＥＥＰＲＯＭ２８に記憶されているイージー録画モードをキャンセルする。
【００３３】
また、本実施形態では、携帯型ＤＶＤレコーダシステムであって、ＡＣアダプタ１４を任意の位置にあるＡＣ電源に接続することが可能であるが、例えば不注意あるいは事故によりＡＣアダプタ１４をＡＣ電源（コンセント）から抜いてしまう事態も想定される。このような場合、ＤＶＤドライブ１０、ＤＶＤプロセッサ１２及びキーコントローラ１８のいずれも電源電圧の供給が遮断されてしまい、ＤＶＤドライブ１０のマイコンが保持していたメディアの情報も失われてしまう。しかしながら、不揮発性メモリであるＥＥＰＲＯＭ２８にイージー録画モードのコマンドがその録画条件とともに記憶されている場合には、図３のステップＳ１０４の動作により、ＤＶＤドライブ１０のマイコンが失ったメディアの情報を再度取得する動作が行われる。したがって、再度、ＡＣアダプタ１４をＡＣ電源に接続した後においても、迅速に録画を再開することが可能である。
【００３４】
以上説明したように、本実施形態のシステムでは、電源スイッチ（電源キー）を有さず、単にＡＣアダプタ１４をＡＣ電源に接続するのみでノーマル状態に移行し、また、ビデオ信号が入力されると、ユーザが予め設定した条件にて、ノーマル状態であれば直ちに自動録画を開始し、電源遮断状態であるスリープ状態であれば電力供給状態であるノーマル状態へ自動的に復帰した後に自動録画を開始するので、ユーザの操作性は極めて高い。また、ＡＣ電源がＯＦＦとなってしまっても、ＥＥＰＲＯＭ２８にイージー録画モード及び録画条件が記憶され保持されているため、ＡＣ電源を再度ＯＮした場合にも同一の条件で引き続き録画することができる。
【図面の簡単な説明】
【００３５】
【図１】実施形態の全体構成図である。
【図２】実施形態のスリープ状態からノーマル状態への復帰説明図である。
【図３】実施形態の全体処理フローチャートである。
【符号の説明】
【００３６】
１０  ＤＶＤドライブ、１２  ＤＶＤプロセッサ、１６  電源回路、１８  キーコントローラ、２２  操作スイッチ、４０  リモコン。
【図１】
2006092624.tif 000003
【図２】
2006092624.tif 000004
【図３】
2006092624.tif 000005
【手続補正書】
【提出日】平成17年6月23日(2005.6.23)
【手続補正１】
【補正対象書類名】明細書
【補正対象項目名】００２９
【補正方法】変更
【補正の内容】
【００２９】
ＡＣアダプタ１４がＡＣ電源に接続されると（Ｓ１０１）、ＤＶＤプロセッサ１２はＥＥＰＲＯＭ２８にアクセスし（Ｓ１０２）、イージー録画モードが設定されているか否かを確認する（Ｓ１０３）。ＥＥＰＲＯＭ２８にイージー録画のコマンド及び録画条件が記憶されている場合には、ＤＶＤプロセッサ１２はさらにＤＶＤドライブ１０に問い合わせる（Ｓ１０４）。ＤＶＤドライブ１０のマイコンは、スタンバイモードであれば保持しているメディアの情報（メディアの種類等）をＡＴＡＰＩインターフェースを介してＤＶＤプロセッサ１２に返信する。もし、ＤＶＤドライブ１０のマイコンがメディアの情報を記憶していなければ、ＤＶＤプロセッサ１２の命令に従ってメディアの情報を取得し、これをＤＶＤプロセッサ１２に返信する。
ＤＶＤプロセッサ１２は、ＤＶＤドライブ１０から取得したメディア情報と録画条件に規定されたメディア情報とが一致するか否かを判定する（Ｓ１０５）。例えば、録画条件がＤＶＤ−Ｒを前提としており、ＤＶＤドライブ１０に挿入されているメディアがＤＶＤ−Ｒである場合には条件が一致する。すなわち、録画条件に従った録画が可能であると判定し、ビデオ信号が入力されているか否かをビデオデコーダ３２を通じて確認し（Ｓ１０６）、ビデオ信号が入力されていれば録画を開始する（Ｓ１０７）。イージー録画モードに設定されているメディアとＤＶＤドライブ１０に挿入されているメディアが一致しない、或いはＥＥＰＲＯＭ２８に記憶されているその他の録画条件とＤＶＤドライブ１０から取得した情報が一致しない場合には、ＤＶＤプロセッサ１２は録画を開始せず、ＥＥＰＲＯＭ２８に記憶されているイージー録画モードを解除し（Ｓ１０８）、ユーザに再度の録画条件設定を促す。
【手続補正２】
【補正対象書類名】明細書
【補正対象項目名】００３１
【補正方法】変更
【補正の内容】
【００３１】
スリープ状態において、キーコントローラ１８は、ビデオ信号が入力されたか否か、或いはリモコン４０や操作スイッチ２２が操作されたか否か、或いはＤＶＤドライブ１０にメディアが挿入されたか否かを常に監視している。これら条件のうちの一つでも起こると、キーコントローラ１８は電源回路１６のスイッチ１６ａをＯＮ制御し、ＤＶＤプロセッサ１２を起動させる。本実施例において、ダイオード４２及びコンデンサ４４からなる検出回路がビデオ信号を検出すると、その信号はキーコントローラ１８に入力され、キーコントローラ１８は電源回路１６のスイッチ１６ａをＯＮ制御し、ＤＶＤプロセッサ１２は起動する。すなわち、図３の矢印付き点線に示すように、スリープ状態（Ｓ１１１）から復帰し、再びステップＳ１０１から動作が開始される。
【手続補正３】
【補正対象書類名】図面
【補正対象項目名】図３
【補正方法】変更
【補正の内容】
【図３】
2006092624.tif 000006